(57)【要約】【課題】原稿のみを用いた「片−両」原稿を作成する複写装置を提供する。予め原稿を下から奇数・偶数に分けるため、上から原稿を数えて仕分けする時に必要な予めのカウントがいらず、原稿があまりいたまず、スピードも早く行うことができる。【解決手段】原稿置戴トレイと、原稿置戴トレイより下から奇数枚目の原稿を選び出し、下から偶数枚目の原稿の内容を、下から奇数枚目の原稿の裏面に複写し、原稿が奇数枚の場合は、最後の原稿はそのまま出力し、原稿が偶数枚の場合はすべての複写紙を排紙反転するように制御する手段とによって構成される。【選択図】　　　　図１
2004109187.tif 000002
【特許請求の範囲】
【請求項１】
複写手段と、
使用者が原稿を置載する原稿置載トレイと、
前記原稿置載トレイより原稿が移動され、実際に前記複写手段が複写する原稿を蓄積する複写原稿蓄積トレイと、
前記複写手段が原稿を読み取る画像読取手段と、
前記複写手段が画像を形成する転写紙を蓄積する転写紙蓄積トレイと、
前記複写手段が画像を形成した後の複写紙を蓄積する複写紙蓄積トレイと、
前記原稿置載トレイ上の原稿を前記画像読取手段上、前記複写原稿蓄積トレイ、及び前記転写紙蓄積トレイに搬送する原稿搬送手段と、
前記原稿置載トレイ上に置載された原稿の原稿裏面から数えて奇数番目の原稿を前記原稿裏面側から順次前記原稿搬送手段によって前記転写紙蓄積トレイに搬送して原稿表面が非画像形成面となり、先入れ後出しとなるよう蓄積し、前記原稿の原稿裏面から数えて偶数番目の原稿を前記原稿置載トレイに原稿表面が画像読み取り面となるように先入れ後出しとなるように蓄積するよう制御する原稿転写紙搬送制御手段と、
前記転写紙搬送制御手段の動作に連動して、前記原稿の枚数をカウントする原稿数カウント手段と、
前記原稿数カウント手段のカウント数が偶数の時は反転と判断し、奇数の場合は非反転と判断する反転判断手段と、
前記複写手段の複写紙出力部と前記複写紙蓄積手段との間に取り付けられ、前記反転判断手段の判断に基づき、前記複写手段から出力される複写紙を反転させる複写紙反転手段と、
前記複写手段によって、前記原稿蓄積手段に蓄積された原稿を先出し順に、前記転写紙蓄積トレイ上に蓄積された原稿を先出し順に搬送し、前記原稿蓄積手段からの原稿の原稿面を前記転写紙蓄積トレイ上にあった原稿の非画像面側に１対１で複写し、前記反転判断手段が反転と判断した時のみ前記反転手段によって反転して出力し、非反転と判定した時は反転せずに出力して前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、
によってなる複写手法および、それを用いた複写装置。
【請求項２】
複写手段と、
使用者が原稿を置載する原稿置載トレイと、
前記原稿置載トレイより原稿が移動され、実際に前記複写手段が複写する原稿を蓄積する複写原稿蓄積トレイと、
前記複写手段が原稿を読み取る画像読取手段と、
前記複写手段が画像を形成する転写紙を蓄積する転写紙蓄積トレイと、
前記複写手段が画像を形成した後の複写紙を蓄積する複写紙蓄積トレイと、
前記原稿置載トレイ上の原稿を複写装置の使用者が転写紙として用いるための原稿として指示するために蓄積するガイダンストレイと、
前記原稿置載トレイ上に置載された原稿の原稿裏面から数えて奇数番目の原稿を前記原稿裏面側から順次前記原稿搬送手段によって前記ガイダンストレイに搬送して原稿表面が非画像形成面となり、先入れ後出しとなるよう蓄積し、前記原稿の原稿裏面から数えて偶数番目の原稿を前記原稿置載トレイに原稿表面が画像読み取り面となるように先入れ後出しとなるように蓄積するよう制御する原稿転写紙搬送制御手段と、
前記転写紙搬送制御手段の動作に連動して、前記原稿の枚数をカウントする原稿数カウント手段と、
前記原稿数カウント手段のカウント数が偶数の時は反転と判断し、奇数の場合は非反転と判断する反転判断手段と、
前記複写手段の複写紙出力部と前記複写紙蓄積手段との間に取り付けられ、前記反転判断手段の判断に基づき、前記複写手段から出力される複写紙を反転させる複写紙反転手段と、
前記ガイダンストレイ上にある原稿を、前記転写紙蓄積トレイ上に移動するように使用者に指示するガイダンス手段と、
前記ガイダンスに従って使用者が前記ガイダンストレイより前記転写紙蓄積トレイ上に前記原稿を移動した後に、装置に動作を再開するように指示する動作再開指示手段と、
前記動作再開指示手段への指示の検知に基づき、前記複写手段によって、前記原稿蓄積手段に蓄積された原稿を先出し順に、前記転写紙蓄積トレイ上に蓄積された原稿を先出し順に搬送し、前記原稿蓄積手段からの原稿の原稿面を前記転写紙蓄積トレイ上にあった原稿の非画像面側に１対１で複写し、前記反転判断手段が反転と判断した時のみ前記反転手段によって反転して出力し、非反転と判定した時は反転せずに出力して前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、
によってなる複写手法及び、それを用いた複写装置。
【請求項３】
前記原稿置載トレイと兼ねる前記複写原稿蓄積トレイによってなる、
請求項１及び請求項２に記載の複写手法及び、それを用いた複写装置。
【請求項４】
複写装置と、
最初に原稿を置載する第１の場所と、
第２に原稿を置載する第２の場所と、
複写を行う転写紙を置載する第３の場所と、
最終的に複写された用紙を置載する第４の場所と、
前記第１の場所に置載された原稿を原稿最終ページから交互に前記第３の場所と前記第２の場所に置載する原稿仕分け手段と
前記仕分けされた第２の場所に置載された原稿の原稿面を、前記第３の場所に置載される原稿の裏面に複写し、前記模写動作を前記第１の場所に置載された原稿の最初のページから順番に行うよう制御する複写動作制御手段と、
前記複写動作制御手段によって複写された複写紙を、前記第１の場所に置載された時の原稿面と同じ面がそろうよう制御する第１のページそろえ手段と、
前記第３の場所に置載される原稿が前記第２の場所に置載される原稿より多い場合は、前記第１のページそろえ手段の最終ページに追加して、前記第４の場所に置載する第２のページそろえ手段と、
によってなる複写手法、前記複写手法を記憶する記憶媒体、および、前記記憶媒体を用いた複写装置。
【発明の詳細な説明】
【０００１】
【発明の属する技術分野】
本発明は、自動原稿送り機構と、原稿を転写紙として用いる事のできる複写装置に関するものである。
【０００２】
【従来の技術】
従来より自動原稿送り機構を搭載する複写装置において、原稿の片面を、転写紙の両面に複写する「片−両」複写モードを搭載する複写装置が広く用いられてきている。これに対して、通常の原稿の片面を転写紙の片面に複写するモードは「片−片」モードと呼ばれる。
【０００３】
この「片−両」モードの特徴は、出力される複写紙が、原稿の枚数の半分でありながら、原稿と同じ情報量を持つ事である。この事は、情報ストック、情報配信において、多いに力を発揮する。
【０００４】
例えばこの特徴を生かして、会議用の資料の枚数を「片−片」複写モードによるものの半分にしたり、ストックする資料の枚数を半分にするなどのが行われている。
【０００５】
従来は、上記の内、資料をストックする作業を行うにおいて、「片−両」コピーをする事で資料の枚数を半分にし、原稿のストック量を半分にする一方、もともとあった原稿はストックするに不必要であるので、廃棄するなどを行っていた。
【０００６】
あるいは、原稿をそのままストックすることを選択していた。
【０００７】
また、これらの解決のために、先出の発明「複写手法及び、それを用いた複写装置」においては、ｎ枚の原稿が印刷面を上にして上から降順に重ねられている時に、上部から順番に奇数枚目の原稿の裏面に、上部から偶数枚目の原稿の内容をコピーしてストックし、原稿が奇数枚の時は、最後の原稿はあまるので、そのまま蓄積するように制御する制御手段を搭載する複写装置を提供していた。先出の発明では、これを「原稿片−両」と呼んでいる。
【０００８】
上記の動作の実現のためには、自動原稿送り装置の原稿置載トレイから、転写紙として使う原稿（原稿上部から奇数枚目の原稿）と、原稿として使う原稿（原稿上部から偶数枚目の原稿）の仕分けを行う必要がある。多くの場合、転写紙として使う原稿は、例えばマルチトレイなどに仕分けしてストックし、原稿として使う原稿は、再度原稿置載トレイに戻す動作を繰り返す。
【０００９】
自動原稿送り装置の原稿置載トレイからの原稿を再度用いるために再度原稿置載トレイに戻す動作を行う場合、たとえ前述のトレイに置載された原稿の上部から機構的に給紙可能であっても、前述のトレイの下部からしか給紙できないという機構的性質がある。なぜならば、原稿を再び原稿置載トレイに戻す時は、最上部から置載するのみであり、最下部に戻すという事は、非常に困難で、コスト要因も考えると不可能に近いからである。これは、問題点というよりも、本来自動原稿送り装置の持つ基本的性質といえる。従って、原稿を原稿置載トレイから給紙し、必要に応じて原稿置載トレイに戻す動作を行うには、最下部から給紙する以外にない。
【００１０】
しかしながら、先出の発明の請求項は「原稿の上部から奇数番め…」であるから、同様の効果を原稿の最下部から給紙する事で得るように制御しなければならない。原稿の最下部にある原稿は、原稿が奇数枚ある時は上から数えて奇数枚目の原稿、原稿が偶数枚ある時は、上から数えて偶数枚目の原稿である。例えば、原稿が５枚ある時は最下部にある原稿は５枚目にあるので奇数枚目、原稿が４枚ある時は、最下部にある原稿は４枚目にあるので偶数枚目となる。従って、原稿の最下部から給紙を行って前述の原稿の仕分けを行う場合、その時点で、原稿が全部で奇数枚あるのか、偶数枚あるのかがわかってなければならない。
【００１１】
従来は、このような問題の解決のために、予め原稿をカウントした上で、前記仕分けを行っていた。
【００１２】
【発明が解決しようとする課題】
しかしながら、上記従来例においては、一旦カウントしてから仕分けを行うため、原稿の仕分けに時間がかかるとともに、原稿がいたみやすいという問題点があった。
【００１３】
本発明は、このような課題に鑑み、原稿自動送り装置に置載された原稿のうち、「下から」数えて奇数枚目の原稿の裏面に、「下から」数えて偶数枚目の原稿の画像を複写する事により、原稿の仕分けに従来例のような原稿カウントを行わないよう制御するモードを搭載する複写装置を提供する。
【００１４】
【課題を解決するための手段】
上記目的を達成するため、請求項１の本発明は、複写手段と、使用者が原稿を置載する原稿置載トレイと、前記原稿置載トレイより原稿が移動され、実際に前記複写手段が複写する原稿を蓄積する複写原稿蓄積トレイと、前記複写手段が原稿を読み取る画像読取手段と、前記複写手段が画像を形成する転写紙を蓄積する転写紙蓄積トレイと、前記複写手段が画像を形成した後の複写紙を蓄積する複写紙蓄積トレイと、前記原稿置載トレイ上の原稿を前記画像読取手段上、前記複写原稿蓄積トレイ、及び前記転写紙蓄積トレイに搬送する原稿搬送手段と、前記原稿置載トレイ上に置載された原稿の原稿裏面から数えて奇数番目の原稿を前記原稿裏面側から順次前記原稿搬送手段によって前記転写紙蓄積トレイに搬送して原稿表面が非画像形成面となり、先入れ後出しとなるよう蓄積し、前記原稿の原稿裏面から数えて偶数番目の原稿を前記原稿置載トレイに原稿表面が画像読み取り面となるように先入れ後出しとなるように蓄積するよう制御する原稿転写紙搬送制御手段と、前記転写紙搬送制御手段の動作に連動して、前記原稿の枚数をカウントする原稿数カウント手段と、前記原稿数カウント手段のカウント数が偶数の時は反転と判断し、奇数の場合は非反転と判断する反転判断手段と、前記複写手段の複写紙出力部と前記複写紙蓄積手段との間に取り付けられ、前記反転判断手段の判断に基づき、前記複写手段から出力される複写紙を反転させる複写紙反転手段と、前記複写手段によって、前記原稿蓄積手段に蓄積された原稿を先出し順に、前記転写紙蓄積トレイ上に蓄積された原稿を先出し順に搬送し、前記原稿蓄積手段からの原稿の原稿面を前記転写紙蓄積トレイ上にあった原稿の非画像面側に１対１で複写し、前記反転判断手段が反転と判断した時のみ前記反転手段によって反転して出力し、非反転と判定した時は反転せずに出力して前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、によってなることを特徴とする。
【００１５】
上記目的を達成するため、請求項２における本発明は、複写手段と、使用者が原稿を置載する原稿置載トレイと、前記原稿置載トレイより原稿が移動され、実際に前記複写手段が複写する原稿を蓄積する複写原稿蓄積トレイと、前記複写手段が原稿を読み取る画像読取手段と、前記複写手段が画像を形成する転写紙を蓄積する転写紙蓄積トレイと、前記複写手段が画像を形成した後の複写紙を蓄積する複写紙蓄積トレイと、前記原稿置載トレイ上の原稿を複写装置の使用者が転写紙として用いるための原稿として指示するために蓄積するガイダンストレイと、前記原稿置載トレイ上に置載された原稿の原稿裏面から数えて奇数番目の原稿を前記原稿書面側から順次前記原稿搬送手段によって前記ガイダンストレイに搬送して原稿表面が非画像形成面となり、先入れ後出しとなるよう蓄積し、前記原稿の原稿裏面から数えて偶数番目の原稿を前記原稿置載トレイに原稿表面が画像読み取り面となるように先入れ後出しとなるように蓄積するよう制御する原稿転写紙搬送制御手段と、前記転写紙搬送制御手段の動作に連動して、前記原稿の枚数をカウントする原稿数カウント手段と、前記原稿数カウント手段のカウント数が偶数の時は反転と判断し、奇数の場合は非反転と判断する反転判断手段と、前記複写手段の複写紙出力部と前記複写紙蓄積手段との間に取り付けられ、前記反転判断手段の判断に基づき、前記複写手段から出力される複写紙を反転させる複写紙反転手段と、前記ガイダンストレイ上にある原稿を、前記転写紙蓄積トレイ上に移動するように使用者に指示するガイダンス手段と、前記ガイダンスに従って使用者が前記ガイダンストレイより前記転写紙蓄積トレイ上に前記原稿を移動した後に、装置に動作を再開するように指示する動作再開指示手段と、前記動作再開指示手段への指示の検知に基づき、前記複写手段によって、前記原稿蓄積手段に蓄積された原稿を先出し順に、前記転写紙蓄積トレイ上に蓄積された原稿を先出し順に搬送し、前記原稿蓄横手段からの原稿の原稿面を前記転写紙蓄積トレイ上にあった原稿の非画像両側に１対１で複写し、前記反転判断手段が反転と判断した時のみ前記反転手段によって反転して出力し、非反転と判定した時は反転せずに出力して前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、によってなる事を特徴とする。
【００１６】
上記月的を達成するため、請求項１及び請求項２における本発明によりさらに、前記原稿置載トレイと兼ねる前記複写原稿蓄積トレイによってなる、請求項３によってなるとよい。
【００１７】
上記目的を達成するため、請求項４における本発明は、複写装置と、最初に原稿を置載する第１の場所と、第２に原稿を置載する第２の場所と、複写を行う転写紙を置載する第３の場所と、最終的に複写された用紙を置載する第４の場所と、前記第１の場所に置載された原稿を原稿最終ページから交互に前記第３の場所と前記第２の場所に置載する原稿仕分け手段と、前記仕分けされた第２の場所に置載された原稿の原稿面を、前記第３の場所に置載される原稿の裏面に複写し、前記複写動作を前記第１の場所に置載された原稿の最初のページから順番に行うよう制御する複写動作制御手段と、前記複写動作制御手段によって複写された複写紙を、前記第１の場所に置載された時の原稿面と同じ面がそろうよう制御する第１のページそろえ手段と、前記第３の場所に置載される原稿が前記第２の場所に置載される原稿より多い場合は、前記第１のページそろえ手段の最終ページに追加して、前記第４の場所に置載する第２のページそろえ手段と、によってなる複写手法、前記複写手法を記憶した記憶媒体、及び、前記記憶媒体を備えた複写装置によってなる事を特徴とする。
【００１８】
【発明の実施の形態】
以下に、図面を参照して、この発明の好適な実施の形態を例示的に詳しく説明する。但し、この実施の形態に記載されている構成部品の寸法、材質、形状、その相対位置などは、特に特定的な記載がない限りは、この発明の範囲をそれらのみに限定するものではない。
【００１９】
なお、以下の説明では、複写装置及び手段について説明するが、これから説明する部分以外の複写動作及び用紙ハンドリングに関する動作については、公知技術であるので、本発明の説明において特に重要となる部分のみ説明し、他は略する。
【００２０】
（第１の実施の形態）
図１〜図７を参照にして、本発明の第１の実施の形態に係る画像読み取り装置について説明する。
【００２１】
図１は、本発明を搭載する複写装置の一例である。
【００２２】
複写手段１は、原稿台５に置載された原稿を読取り、転写紙トレイ３に置載された転写紙上に複写し、排紙トレイ６に排紙する。これら、複写手段１の動作は全て、公知の技術に基づくものである。また、転写紙反転パス９によって、随時反転する・しないの制御を行う事ができる。
【００２３】
転写紙トレイ３は、転写紙を蓄積し、複写手段１に転写紙を供給する。また、リフター４によって、上方に移動され、図１に点線で示される「３’の位置」まで移動する事ができる。「３’の位置」に対して、本図で実線で示されるリフター３が転写紙を給紙する位置を「３の位置」と呼ぶ事とする。「３の位置」では、転写紙トレイ３上の紙は転写紙として複写手段１に導入する事ができる。また、「３’の位置」に来た時は後述する自動原稿送り装置２の動作によって、原稿置載トレイ７上の原稿をトレイ３上に排出する事ができる。
【００２４】
原稿搬送装置２は、原稿置載トレイ７上に置載される原稿を搬送し、原稿台５に搬送する事ができる。また、原稿置載トレイ７上にある原稿搬送手段（図示しない）に、複数の原稿が重ねて置載された場合は、原稿の上部と下部の双方から原稿を搬送する事ができる。
【００２５】
また、原稿台５上に搬送された原稿は、再度原稿置載トレイ７上に搬送される、原稿排紙トレイ８上に搬送される、転写紙トレイ３’上に排紙されると、必要に応じて３個所に排出する事ができる。
【００２６】
これらの動作は全てＣＰＵ（図示しない）からの司令によって行われる。
【００２７】
図２を用いて、転写紙トレイ３がリフター４によって移動され、３’まで至った時の動作について説明する。
【００２８】
このとき、原稿搬送装置２によって搬送された原稿は、そのまま矢印ｂの方向に搬送され、転写紙トレイ３上にまで搬送される。転写紙トレイ３まで搬送された原稿は、そのまま転写紙トレイが「３の位置」に戻ってきた後、複写装置１における転写紙の用に給する事ができる。
【００２９】
図３より、順を追って、本発明におけるモードの動作における原稿の振る舞いについて説明する。
【００３０】
図３においては、５枚の原稿が原稿トレイ７に置載されており、モードスタートキー（図示しない）を押す事によって、転写紙トレイ３がリフター４によって３’の位置まで移動されている。
【００３１】
図４、図５においては、原稿が奇数枚時の動作についての説明である。
【００３２】
転写紙トレイ３が３’の位置までの移動を終えると、原稿搬送手段２は、原稿を下部から順番に原稿台５に送り込み、下から数えて奇数原稿は、転写紙トレイ３’に搬送し、下から数えて偶数原稿は再度原稿トレイ７に戻す動作を、置載された原稿すべてにおいて繰り返す。すべての搬送を終了すると、図４に示す配置となる。すなわち、原稿トレイ７には、偶数原稿が、元の順番でそのまま残り、転写紙トレイ３’には、奇数原稿が順番はそのままに、すべての原稿においてひっくり返された状態で置載される。この時、制御用ＣＰＵ（図示しない）は、原稿のカウントも同時に行い、原稿が５枚（奇数枚）である事を記憶する。
【００３３】
このような、原稿を振り分ける動作の終了後、転写紙トレイ３’は、リフター４によって、元の場所３に戻り、図５（ａ）の状態となる。これ以降は煩雑さを避けるため、略してしめす。なお、各図において、上方は原稿トレイ７、上方右は原稿排紙トレイ８、右側は転写紙トレイ３、左側は転写紙排紙トレイ６とする。
【００３４】
原稿搬送装置２は、原稿置載トレイ７上の原稿の最も上にある原稿（▲２▼）を、原稿台５上に搬送する。複写手段２は、転写紙トレイ３の最も上にある転写紙（▲１▼）を給紙し、原稿▲２▼上の画像を転写紙▲１▼上に複写して排出する（ｂ）。原稿▲２▼は、原稿排紙トレイ８に排紙される。この場合、反転は行われない。
【００３５】
同様に、原稿搬送装置２は、原稿置載トレイ７上の原稿の最も上にある原稿（▲４▼）を、原稿台５上に搬送する。複写手段２は、転写紙トレイ３の最も上にある転写紙（▲９▼）を給紙し、原稿▲２▼上の画像を転写紙▲３▼上に複写して排出する（ｄ）。
【００３６】
最後に、転写紙▲５▼は、画像を形成するべき原稿がないので、そのまま何もせずに複写手段２を通過し、排紙トレイ６上に排紙する。
【００３７】
以上のアルゴリズムで、原稿置載トレイ７に最初に置載された原稿の、下から奇数枚目の原稿の裏面に、下から偶数番目の原稿の内容をコピーする事ができる。
【００３８】
この場合は、原稿▲１▼の面が下向きとなっており、出力内容は、片−両をフェイスダウンで出力したものと同等となる。また、上下関係については、最初に原稿トレイ７に置載された方向と逆方向となる。つまり、通常のビジネス原稿のようにＡ４縦で上下関係のある書類の場合は、原稿は搬送方向、すなわち、縦送りでセットする必要がある。
【００３９】
図６を用いて、最初に置載された原稿が偶数枚時の動作について説明する。
【００４０】
この場合も、原稿置載トレイ７の下から数えて偶数枚目をトレイ７に戻し、奇数枚目は転写紙トレイ３上に移動させる。すなわち、上から数えた場合は、偶数枚目を転写紙トレイ３に、奇数枚目を原稿置載トレイ７に戻す。
【００４１】
最初は、図５と同様、トレイ７上の原稿を上部から給紙し、トレイ３の原稿も上部から給紙するため、原稿▲１▼の裏面に原稿▲２▼の画像を形成し、原稿排紙トレイ６に排紙される。ただし、この場合は、複写されたままだと原稿１が上面に来る。出力された複写紙は、下から降順に置載されるので、反転パス９によって反転して出力する。
【００４２】
次に、前記と同様に複写されるため、原稿▲３▼の裏面に原稿▲４▼の画像を形成し、反転パス９によって反転した上で、原稿排紙トレイ６に排紙される。
【００４３】
排紙された内容は、同様に片−両の出力をフェイスダウンしたものと同等であるが、図５で説明した原稿枚数が奇数の場合と比較して、上下反対である事が異なる。
【００４４】
図７におけるフローチャートを用いて、本発明における一般的なアルゴリズムについて説明する。
【００４５】
「原稿片−片モード」に設定し、コピーを開始すると（Ｓ７０１）、リフター４によって転写紙トレイ３を３’の位置に移動する（Ｓ７０２）。Ｓ７０３において、原稿搬送手段２は、原稿置載トレイ７上の原稿の内、下から奇数枚目を転写紙トレイ３’に移動する。同時に原稿カウントを行い、原稿が奇数か偶数かを記憶する。Ｓ７０３における移動がすべて終了すると、リフター４によって、トレイ３は３の位置に移動される（Ｓ７０４）。
【００４６】
Ｓ７０５において、原稿置載トレイ７上に原稿がある場合は、転写紙トレイ３の一番上の原稿（転写紙）に原稿置載トレイ７上の一番上の原稿をコピーしてトレイ６に排出する（Ｓ７０６）。次に、Ｓ７０３でカウントした原稿のカウント数を判定し（Ｓ７０７）、もし原稿が偶数枚であれば、反転してトレイ６に排出（Ｓ７０８）、もし奇数であれば反転せずにトレイ６に排出（Ｓ７０９）する。Ｓ７０６からＳ７０９までを、Ｓ７０５の条件文がＦとなるまで続ける。
【００４７】
トレイ３上に原稿が残っていれば、（すなわち、最初の原稿の枚数が奇数枚であれば）転写紙にそのまま画像形成せずに排紙し、コピージョブを終了する。この場合、原稿は必ず奇数枚なので、Ｓ７０７のような判断文は必要ない。
【００４８】
（第２の実施の形態）
図８を参照にして、本発明の第２の実施の形態に係る画像読み取り装置について説明する。
【００４９】
本発明においては、図１におけるリフター４を省き、トレイ３を常に転写紙を蓄積する用にのみ用いる構成とする。
【００５０】
但しこの場合、広く用いられているＬＣＤディスプレイや、メッセージ付きＬＥＤ等の手段によって、使用者にガイダンス表示を行える構成を取る。また、使用者がガイダンスどおりの操作をした後で、機械の動作を再開させる再開ボタンを設ける。通常は、広く用いられるコピースタートボタンにより行う。
【００５１】
図８を用いて、動作の詳細について説明する。
【００５２】
使用者は、「原稿片−両モード」を設定し、動作を開始する（Ｓ８０１）。
【００５３】
機械は、原稿置載トレイ７上の原稿のうち、下から奇数枚目がトレイ８に移動するよう制御する（Ｓ８０２）。
【００５４】
ここで、前述のガイダンス機構を用い、「トレイ８からトレイ３に原稿を移動して下さい」旨の表示を行い、動作を一旦停止する（Ｓ８０３）。
【００５５】
ここで使用者は、ガイダンス通りにトレイ８からトレイ３へ原稿を移動し、再開ボタンを押す。
【００５６】
再開ボタンが押されると（Ｓ８０４）、機械は再度動作を開始するが、Ｓ８０５以降の動作は、Ｓ７０８以降の動作と同じであるので、詳細な説明は略する。
【００５７】
【発明の効果】
請求項１において本発明は、使用者がモードをセットするだけで「原稿片−両」を全自動で行う事ができる複写システムを、従来の複写システムに必要最小限度の追加工を加える手によって実現できるとともに、予め原稿をカウントする手書を省く事で、より原稿がいたまず、早い処理が可能となる。
【００５８】
また、請求項２において本発明は、従来ある複写装置をシステムをそのまま用い、ガイダンス機能と、制御機能の追加のみで請求項１の効果に近い効果を得る事ができるとともに、予め原稿をカウントする手書を省く事で、より原稿がいたまず、早い処理が可能となる。
【００５９】
請求項３において本発明は、使用者が原稿を置載するトレイと、複写機が原稿を読み込むための原稿を置載するトレイを兼ねる事ができるため、より簡便な校正とする事ができる。
【００６０】
また、請求項４において本発明は、請求項１、２、及び３に記載の複写装置における効果を、より装置の構成にとらわれずに得る事ができるという効果がある。
【図面の簡単な説明】
【図１】本発明の第１の実施の形態に係る複写装置が適用された画像形成装置の概略構成図である。
【図２】本発明の第１の実施の形態に係る原稿搬送の概略説明図である。
【図３】本発明の第１の実施の形態に係る最初に原稿が原稿トレイに置載された状態図である。
【図４】本発明の第１の実施の形態に係る置載された原稿のうち下から数えて奇数枚めの原稿が転写紙トレイに移動された時の状態図である。
【図５】（ａ）本発明の第１の実施の形態に係る原稿が奇数時の複写動作時の原稿の移動の状態図である
（ｂ）本発明の第１の実施の形態に係る原稿が奇数時の複写動作時の原稿の移動の状態図である
（ｃ）本発明の第１の実施の形態に係る原稿が奇数時の複写動作時の原稿の移動の状態図である
（ｄ）本発明の第１の実施の形態に係る原稿が奇数時の複写動作時の原稿の移動の状態図である。
【図６】（ａ）本発明の第１の実施の形態に係る原稿が偶数時の複写動作時の原稿の移動の状態図である。
（ｂ）本発明の第１の実施の形態に係る原稿が偶数時の複写動作時の原稿の移動の状態図である。
（ｃ）本発明の第１の実施の形態に係る原稿が偶数時の複写動作時の原稿の移動の状態図である。
【図７】本発明の第１の実施の形態に係る動作のフロー図である。
【図８】本発明の第２の実施の形態に係る動作のフロー図である。
【図１】
2004109187.tif 000003
【図２】
2004109187.tif 000004
【図３】
2004109187.tif 000005
【図４】
2004109187.tif 000006
【図５】
2004109187.tif 000007
【図６】
2004109187.tif 000008
【図７】
2004109187.tif 000009
【図８】
2004109187.tif 000010